(57)【要約】【課題】雪国地方における雪の除去対策として極めて有効な地下埋設式融雪装置を提供する。【解決手段】複数の側枠１１〜１４を上下多段に積層埋設してなる実質的に密閉断熱構造を有する融雪槽１０を備える。融雪槽１０内に投入した雪もしくは雪塊に地下水Ｗを散水することにより融雪して、その融水を地下に排水する。融雪槽１０内の適所に設置された地下水汲上げポンプ１５と、地下水汲上げポンプ１５から給水されて融雪槽１０内に投入した雪もしくは雪塊に地下水を散水する散水手段１８とを備える。少なくとも最上段の側枠１１まわりに断熱材２０を付設し、融雪槽１０の保温効果を確保する。【選択図】        図１
2004339904.tif 000002
【特許請求の範囲】
【請求項１】
複数の側枠を上下多段に積層埋設してなる実質的に密閉断熱構造を有する融雪槽を備え、該融雪槽内に投入した雪もしくは雪塊に地下水を散水することにより融雪して、その融水を地下に排水するようにしたことを特徴とする地下埋設式融雪装置。
【請求項２】
前記融雪槽内の適所に設置された地下水汲上げポンプと、この地下水汲上げポンプから給水されて前記融雪槽内に投入した雪もしくは雪塊に地下水を散水する散水手段とを備えたことを特徴とする請求項１に記載の地下埋設式融雪装置。
【請求項３】
少なくとも最上段の側枠まわりに断熱材を付設し、前記融雪槽の保温効果を確保するようにしたことを特徴とする請求項１または２に記載の地下埋設式融雪装置。
【請求項４】
ほぼ地表位置に開閉可能な雪投入口を有し、さらにその内側至近に雪粉砕機能を有する中蓋を有することを特徴とする請求項１〜３のいずれか１項に記載の地下埋設式融雪装置。
【請求項５】
前記融雪槽の底部に設置された水中ポンプと、この水中ポンプから給水されて前記融雪槽内に投入した雪もしくは雪塊に高圧水を噴射する高圧水噴射手段とを備えたことを特徴とする請求項１〜４のいずれか１項に記載の地下埋設式融雪装置。
【請求項６】
前記融雪槽の所定高さ位置に、投入された前記雪もしくは雪塊を受け止める雪受け部材が横架され、前記高圧水噴射手段は前記雪受け部材上の前記雪もしくは雪塊に高圧水を噴射することを特徴とする請求項５に記載の地下埋設式融雪装置。
【請求項７】
前記高圧水噴射手段はパイプ材でなり、該パイプ材の開口断面積よりもその合計断面積が小さく設定された複数の水噴出口を有し、これらの水噴出口が前記雪受け部材上の前記雪もしくは雪塊に指向するように配置構成されることを特徴とする請求項６に記載の地下埋設式融雪装置。
【請求項８】
前記高圧水噴射手段は、前記雪もしくは雪塊に対する前記高圧水の噴射方向が調整可能に構成されていることを特徴とする請求項５〜７のいずれか１項に記載の地下埋設式融雪装置。
【発明の詳細な説明】
【０００１】
【発明の属する技術分野】
本発明は、雪国地方において敷地等の除雪によって道路あるいは歩道等に山積状態で堆積された雪の除去対策として極めて有効な地下埋設式融雪装置に関するものである。
【０００２】
【従来の技術】
北海道や雪国地方では特に１２月〜３月期にかなりの降雪があり、積雪が１０ｍ以上に達する場合がある。住宅等の除雪作業それ自体に多大な労力を要し、さらに除雪して敷地内にたまった雪はそのままにできないため、付近の道路あるいは歩道等に運び出されることになり、この作業にも多大な労力を要する。
【０００３】
【発明が解決しようとする課題】
しかしながら、このように処理される雪は、次第に道路あるいは歩道等に山積状態で堆積され、すなわち実質的に除雪されるのではなく場所を変えて残存しているのが実情である。たとえば交差点等で山積状態で雪が堆積すると、交差点付近の見通しが悪くなり、交通安全上著しく安全性を阻害することになる。
【０００４】
本発明はかかる実情に鑑み、雪国地方における雪の除去対策として極めて有効な地下埋設式融雪装置を提供することを目的とする。
【０００５】
【課題を解決するための手段】
本発明の地下埋設式融雪装置は、複数の側枠を上下多段に積層埋設してなる実質的に密閉断熱構造を有する融雪槽を備え、該融雪槽内に投入した雪もしくは雪塊に地下水を散水することにより融雪して、その融水を地下に排水するようにしたことを特徴とする。
【０００６】
また、本発明の地下埋設式融雪装置において、前記融雪槽内の適所に設置された地下水汲上げポンプと、この地下水汲上げポンプから給水されて前記融雪槽内に投入した雪もしくは雪塊に地下水を散水する散水手段とを備えたことを特徴とする。
【０００７】
また、本発明の地下埋設式融雪装置において、少なくとも最上段の側枠まわりに断熱材を付設し、前記融雪槽の保温効果を確保するようにしたことを特徴とする。
【０００８】
また、本発明の地下埋設式融雪装置において、ほぼ地表位置に開閉可能な雪投入口を有し、さらにその内側至近に雪粉砕機能を有する中蓋を有することを特徴とする。
【０００９】
また、本発明の地下埋設式融雪装置において、前記融雪槽の底部に設置された水中ポンプと、この水中ポンプから給水されて前記融雪槽内に投入した雪もしくは雪塊に高圧水を噴射する高圧水噴射手段とを備えたことを特徴とする。
【００１０】
また、本発明の地下埋設式融雪装置において、前記融雪槽の所定高さ位置に、投入された前記雪もしくは雪塊を受け止める雪受け部材が横架され、前記高圧水噴射手段は前記雪受け部材上の前記雪もしくは雪塊に高圧水を噴射することを特徴とする。
【００１１】
また、本発明の地下埋設式融雪装置において、前記高圧水噴射手段はパイプ材でなり、該パイプ材の開口断面積よりもその合計断面積が小さく設定された複数の水噴出口を有し、これらの水噴出口が前記雪受け部材上の前記雪もしくは雪塊に指向するように配置構成されることを特徴とする。
【００１２】
また、本発明の地下埋設式融雪装置において、前記高圧水噴射手段は、前記雪もしくは雪塊に対する前記高圧水の噴射方向が調整可能に構成されていることを特徴とする。
【００１３】
本発明によれば、地下に埋設した融雪槽内に雪を投入し、該融雪槽内の雪に地下水を噴射することにより融雪して、その融水を地下に浸透もしくは排水する。地熱で温められた地下水をかけることで、融雪槽内の雪を効率よく融かすことができ、その融けた雪は地下水として浸透排水し、自然還流される。
また、地熱により融雪槽内部を温めるとともに、低温の地表付近に対する断熱を図ることで融雪槽内部を保温する。このように地熱、地下水を有効活用して極めて効率よく融雪することができる。
【００１４】
また、本発明によれば、融雪槽の底部に設置された水中ポンプと、この水中ポンプから給水されて雪もしくは雪塊に高圧水を噴射する高圧水噴射手段とを備える。高圧水噴射手段から雪受け部材上の雪もしくは雪塊に高圧水を噴射することで、多量の雪を極めて迅速かつ効率的に融かすことができる。
【００１５】
【発明の実施の形態】
以下、図面に基き、本発明による地下埋設式融雪装置の好適な実施の形態を説明する。
図１は、本発明装置の全体構成例を示す図である。本発明の地下埋設式融雪装置は、複数の側枠１１〜１４を上下多段に積層埋設し、実質的に密閉断熱構造を有する融雪槽１０内に雪を投入し、該融雪槽１０内の雪に地下水を散水することにより融雪して、その融水を地下に排水するようになっている。
【００１６】
側枠１１，１２，１３，１４はコンクリート製の枠体でなり、典型的な例としては図２あるいは図３に示される基本型のように箱型（縦Ｌ２４００ｍｍ、横Ｗ１２００ｍｍ、高さＨ１０００ｍｍ）とする。なお、地質や地形等に応じて、円形型あるいは正方形型等を適宜選択可能である。側枠１１〜１４を積み上げることで融雪槽１０は、この例では４ｍの高さを持ち、融雪装置の設置場所には予めほぼ４ｍの穴が掘削される。
【００１７】
また、本発明の地下埋設式融雪装置において、融雪槽１０内の適所に地下水汲上げポンプ１５が設置される。この例では最上段の側枠１１に棚板１６が取り付けられ、地下水汲上げポンプ１５は棚板１６上に支持される。地下水汲上げポンプ１５からは地下水汲上げ管１７が垂下され、地中の地下水層まで到達させるようにしている。地下水汲上げポンプ１５は家庭用電源で駆動可能であり、後述する散水手段の散水量等との関係で適宜その出力を選択可能である。なお、地下水汲上げポンプ１５の機種変更による重量変化を見込んで、棚板１６の強度等は余裕を持たせて設定される。
【００１８】
また、地下水汲上げポンプ１５には配管１９を介して、散水手段１８が接続される。地下水汲上げポンプ１５によって汲み上げられた地下水は、散水手段１８に給水されて融雪槽１０内に堆積された雪Ｓに散水されるようになっている。散水手段１８はシャワー状に地下水を噴射する場合の他に、たとえば霧状あるいは流線状に噴射可能であり、これらの散水機能は雪質等に合わせて適宜選択することができる。なお、散水手段１８および配管１９の配設方法としては側枠１１の辺々に沿って配置し、あるいは雪質等に応じて融雪槽１０の四隅に縦方向に配置してもよい。
【００１９】
少なくとも最上段の側枠１１まわりには断熱材２０が付設され、融雪槽１０の保温効果を確保するようにしている。断熱材２０としてはいわゆるスタイロホーム等と称するものが好適であり、凍結深度である地表からほぼ１ｍ付近までを断熱材２０で覆うことで融雪槽１０外部から断熱することができる。
【００２０】
さらに、図示のように側枠１１にはたとえばコンクリート製天板２１を有し、その中央部に鋼板製開閉蓋２２を有している。これらの天板２１あるいは開閉蓋２２は、たとえば車両が載っても変形等しない安全な強度を備え、また、開閉蓋２２は開閉作業を行ない得るように軽量化されている。天板２１あるいは開閉蓋２２の内側には断熱材２０Ａ、２０Ｂが添設される。
【００２１】
融雪槽１０の上部には、ほぼ地表位置に開閉可能な雪投入口２３を有する。通常この雪投入口２３は開閉蓋２２によって塞がれており、すなわち融雪槽１０は密閉断熱構造を有している。かかる密閉断熱構造を有することで、地熱および地下水で温められた融雪槽１０内を適正に保温することができ、高い融雪作用を保証することができる。
【００２２】
さらに、開閉蓋２２の内側至近に雪粉砕機能を有する中蓋２４を有する。中蓋２４としては、たとえば図４（ｂ）のように複数の鋼部材２４ａを雪投入口２３に合わせて矩形に列設し、あるいは格子状に形成したいわゆるスノコが好適であり、開閉蓋２２の内側に支持される。雪投入口２３に中蓋２４を設置しておくことにより、投入された雪を中蓋２４のスノコを通過する際に細かく分断することができる。このように雪もしくは雪塊を分断することで、融雪効率を大幅に向上維持することができる。なお、中蓋２４は取外し可能である。
【００２３】
上記の場合、図５に示されるように側枠１２〜１４の上縁部にフランジ状の突起２５を設けるとよい。地下４ｍ前後に埋設される融雪槽１０は地中からかなりの圧力（土圧）を受けるが、突起２５を有することでコンクリート枠の強度を高め、その結果実質的に融雪槽１０の強度を増大する。
【００２４】
なお、上下の側枠１１〜１４相互の接合部２６（図５参照）は、凹凸嵌合するように段状に形成することができる。接合部２６をこのように形成することで、上下に積層される側枠１１〜１４相互間でガタつくことなく、ぴったりと上下に積層することができる。
【００２５】
ここで、地下埋設式融雪装置を設置する際、融雪装置の設置場所には予めほぼ４ｍの穴を掘削する。この穴に側枠１４，１３，１２，１１を順に埋設するが、その場合まず、側枠１４，１３を２段重ねにして設置するとよい。その後、作業者が設置されたコンクリート枠の中に入って作業するため安全性を確保することができる。側枠１１〜１４は予め工場で製作され、所定の強度、剛性を有するため矢板を用いることなく、すなわち面倒な準備をすることなく短時間で設置作業を完了することが可能である。これにより土溜め工事等の特別な費用の発生をなくし、費用節約を図ることができる。
【００２６】
本発明の地下埋設式融雪装置の使用において開閉蓋２２を開き、図１矢印Ｓ０のように雪投入口２３に雪を投入する。投入された雪は、中蓋２４のスノコを通過する際に細かく分断され（図１矢印Ｓ１）、融雪槽１０内に適度な大きさの塊の雪Ｓとして堆積する。雪の投入時、地下水汲上げポンプ１５を作動させて、散水手段１８から雪に地下水を散水することで雪をいわばシャーベット状にし、多量融雪を促進することができる。融雪槽１０の雪Ｓには引き続き地下水が散水され、冬季でも地下水は１０°Ｃ前後の温度となっているため効率よく融雪する。融水は融雪槽１０の底部から地中に浸透し（図１矢印Ｓ２）、地下に還流される。
【００２７】
本発明装置では、凍結深度付近までを断熱材２０で覆うことで融雪槽１０外部から断熱し、これにより融雪槽１０の保温効果を確保する。この保温効果は、上述した地下水使用による効果と相俟って高い融雪作用を確保し、融雪効率を向上することができる。
【００２８】
上述したように開閉蓋２２の内側の中蓋２４は雪粉砕機能を有するが、開閉蓋２２を開いた際、雪投入口２３から作業者あるいは子供等が落下するのを防ぐことができる。したがって、実使用に際して高い安全性が確保されている。
【００２９】
このように本発明装置は地熱、地下水を有効活用して極めて効率よく融雪することができるとともに、その融水を地下水として還流し自然環境保護の観点からも優れた効果を奏する。
【００３０】
なお、本発明の地下埋設式融雪装置は一旦設置後でもこれを撤去移設することができるが、その場合側枠１１〜１４単位で移動することができるため、作業が極めて簡単であり、そのための手間および工数が少なく、安価にしかも短時間で行なうことができる。
【００３１】
つぎに、本発明による地下埋設式融雪装置の第２の実施形態を説明する。
図６は、第２の実施形態における本発明装置の構成例を示す図である。この第２の実施形態の基本構成は実質的に前述した実施形態と同様であり、その説明を省略するものとする。
【００３２】
本発明による第２の実施形態では特に、融雪槽１０の高さ方向所定位置に雪もしくは雪塊を受ける金網２７が横架される。この金網２７は所定サイズ（典型的には３ｃｍ２程度）のメッシュもしくは網目を有し、雪投入口２３から投入された雪を一旦受け止めることができるようになっている。なお、金網２７は融雪槽１０から取外し可能であり、雪質等に応じて着脱することができる。
【００３３】
金網２７の設置位置としては、散水手段１８から金網２７上の雪に地下水を噴射した際、融雪効率が最もよくなる距離に設定される。すなわちこの例では散水手段１８の下方１０００ｍｍ程度が好ましく、このような状態で金網２７上の雪に地下水を噴射することで雪もしくは雪塊はシャーベット状になり、金網２７の網目をスムースに通り抜ける。
【００３４】
また、第２の実施形態では図６（ｂ）に示されるように、散水のための循環用圧送ポンプ２８を装備することができる。この場合、側枠１４の底部を塞いでおいて一定水位（５０ｃｍ程度）の水が溜まるようにする。そのため側枠１４の側壁の所定高さ位置に排水用の孔を有し、その水位を保持するように排水される。循環用圧送ポンプ２８は配管２９を介して別途設けた高圧水噴射手段３０に接続され、あるいは配管１９に接続してもよい。
【００３５】
なお、循環用圧送ポンプ２８は家庭用電源で駆動可能であり、散水手段の散水量等との関係で適宜その出力や設置台数が選択可能である。
【００３６】
本発明による第２の実施形態では、融雪槽１０の最適な高さ位置に金網２７を設けることで、雪投入口２３から投入された雪もしくは雪塊が一旦受け止められる。この金網２７上の雪に散水手段１８（または高圧水噴射手段３０）から地下水を噴射することにより、その雪もしくは雪塊は極めて効率よくシャーベット状になり、金網２７の網目をスムースに通り抜ける。したがって、融雪速度を大幅に向上し、短時間で融雪することができる。
【００３７】
この場合、循環用圧送ポンプ２８を用いることで、融水を循環再使用することができるため地下水を無駄使いすることなく、高い融雪作用を実現する。また、融雪の効果を上げるためには、地下水と循環水（融雪による水）を混合させ、水温を３度以上に確保することにより融雪効果を高めることが可能となる。なお、循環用圧送ポンプ２８は雪質または量等に応じて、ＯＮ／ＯＦＦ作動制御するようにできる。
【００３８】
つぎに、本発明による地下埋設式融雪装置の第３の実施形態を説明する。
図７および図８は、第３の実施形態における本発明装置の構成例を示す図である。この第３の実施形態は、特に高圧水を噴射して雪を効率よく融かす例を示し、その基本構成は実質的に前述した実施形態と同様であり、その説明を省略するものとする。
【００３９】
本発明による第３の実施形態では特に、地下水汲上げポンプ１５には配管１９を介して、後述する散水手段３１が接続される。また、水中ポンプとして構成される循環用圧送ポンプ２８には配管２９を介して、高圧水噴射手段３２が接続される。高圧水噴射手段３２（および散水手段３１）は長尺物として構成され、融雪槽１０の上部付近で側枠１１の長辺方向に沿って配置される。なお、地下水汲上げポンプ１５で汲み上げる水脈の深さは、融雪槽１０の底から１．５ｍ程度とし、これにより融雪後の０．５°Ｃの冷えた水が混合するのを防ぐ。
【００４０】
ここで、図９および図１０は、高圧水噴射手段３２（あるいは散水手段３１）の構成例を示している。高圧水噴射手段３２はパイプ材でなり、一端に配管２９が接続するとともに他端は栓止されている。高圧水噴射手段３２はそのパイプ材の開口断面積よりも、その合計断面積が小さく設定された複数の水噴出口３２ａを有している。このように水噴出口３２ａの合計断面積を小さく設定することで、噴出水圧を高めている。
【００４１】
この例では水噴出口３２ａは高圧水噴射手段３２の長手方向に沿って複数（たとえば２〜３列）列設され、各水噴出口３２ａから図１０のように高圧水を噴射するようになっている。この場合、高圧水噴射手段３２のパイプ材は、その軸のまわりに回転可能であり（図１０、矢印Ａ，Ｂ）、雪もしくは雪塊に対する高圧水の噴射方向が調整可能に構成される。
【００４２】
散水手段３１についても高圧水噴射手段３２と実質的に同様に構成することができる。したがって、散水手段３１はそのパイプ材に設けた複数の水噴出口から高圧水を噴射する。
【００４３】
第３の実施形態において融雪槽１０の所定高さ位置に、投入された雪もしくは雪塊を受け止める雪受け部材が横架される。この雪受け部材は、第２の実施形態で説明した金網２７であってよく、高圧水噴射手段３２あるいは散水手段３１の水噴出口３２ａはそれぞれ、金網２７上の雪もしくは雪塊に指向するように配置構成される。
【００４４】
上記構成において、地下に埋設した融雪槽１０内に雪を投入すると、その雪は金網２７上に受け止められる。その雪に対して、高圧水噴射手段３２から高圧水を噴射し（図７あるいは図８、実線図示参照）、あるいは散水手段３１から高圧の地下水を噴射する（図７あるいは図８、点線図示参照）ことで、融雪槽１０内の雪を効率よく融かすことができ、その融けた雪は地下水として排水し、自然還流される。
【００４５】
特に第３の実施形態では、融雪槽１０の底部に設置された水中ポンプとして構成される循環用圧送ポンプ２８と、この水中ポンプから給水されて雪もしくは雪塊に高圧水を噴射する高圧水噴射手段３２とを備える。高圧水噴射手段３２から金網２７の雪もしくは雪塊に強力な高圧水を噴射することで、多量の雪を極めて迅速かつ効率的に融かすことができる。その際、高圧水噴射手段３２による高圧水の噴射方向を適宜調整することで、最も効率よく融雪するように配置することができる。
【００４６】
つぎに、本発明による地下埋設式融雪装置の第４の実施形態を説明する。
図１１および図１２は、第４の実施形態における本発明装置の構成例を示す図である。この第４の実施形態の基本構成は実質的に前述した実施形態と同様であり、その説明を省略するものとする。
【００４７】
本発明による第４の実施形態では特に、地下水汲上げポンプ３３は深井用の強力大型ポンプを使用する。地下水汲上げポンプ３３を設置する水脈の深さは、融雪槽１０の底から１．５ｍ程度とし、これにより融雪後の０．５°Ｃの冷えた水がその水脈に混合するのを防ぐようにする。この場合、地下水汲上げポンプ３３は、融雪槽１０内から垂下されたガイドパイプ３４内に配置される。内側に地下水汲上げポンプ３３が位置するガイドパイプ３４には、水脈の地下水を内部へ浸透させるためのスリットもしくは孔３４ａが多数形成されている。
【００４８】
地下水汲上げポンプ３３には配管３５を介して、散水手段３１が接続される。なお、配管３５はガイドパイプ３４内を挿通させることができる。散水手段３１および高圧水噴射手段３２自体の構成については、第３の実施形態の場合と実質的に同様であってよい。
【００４９】
特に第４の実施形態では、循環用圧送ポンプ２８から給水されて、雪もしくは雪塊に高圧水を噴射する高圧水噴射手段３２に加え、強力大型の地下水汲上げポンプ３３から給水される散水手段３１を持つことで、融雪効果をさらに向上することができる。
【００５０】
ここで、図１３および図１４は、融雪槽１０の変形例を示している。この例では融雪槽１０を構成する側枠１１〜１４の長辺側の中央部を適度に幅広にし、すなわち図１３のように太鼓状（平面図）を呈する。この場合、側枠１２〜１４において、それぞれの幅広部にサポータ３６が横架され、融雪槽１０の補強部材として機能する。なお、最上部の側枠１１については、土圧が緩和されるために基本的にはサポータ３６を用いないでよい。
【００５１】
融雪槽１０を上記のように太鼓状にすることで、全体としての剛性強度を大幅に向上させ、その分側枠１１〜１４の厚さを薄くすることができる。具体的には同一の強度を確保する場合では、その厚さを１／２に減少させることができる。
【００５２】
なお、図１４に示されるように側枠１１〜１４の壁面、特に凍結深度より深い部分に設けた複数の穴は、前述した各実施形態の場合も含め、地熱吸収ならびに融雪水の浸透排水のために有効に作用する。
【００５３】
上記のように本発明を好適な実施形態について説明したが、本発明はそれらの実施形態にのみ限定されるものでなく、本発明の範囲内で地質、地域等に応じて適宜変更等が可能である。
たとえば、側枠１１〜１４の個数や大きさ、寸法等は、上述した実施形態にのみ限定されるものではなく、必要に応じて適宜変更、設定可能であり、上記実施形態と同様な作用効果を得ることができる。また、金網２７のメッシュサイズや設置位置等は、上記実施形態で示した数値等のみに限定されず適宜変更等が可能である。
【００５４】
【発明の効果】
以上説明したように本発明によれば、地熱、地下水を有効活用して極めて効率よく融雪することができるとともに、その融水を地下水として還流する。これにより雪国地方における雪の除去対策として極めて優れた効果を発揮し、たとえば道路付近等で雪が堆積するのを防止可能となり、交通安全に多大に寄与することができる。また、一般住宅等での積雪処理を格段に容易化し、装置構造が比較的簡素であるため実質的に低コストで実現可能である等の利点がある。
【図面の簡単な説明】
【図１】本発明による地下埋設式融雪装置の実施形態を示す図である。
【図２】本発明の実施形態に係る融雪槽まわりを示す斜視図である。
【図３】本発明の実施形態に係る地下埋設式融雪装置の基本構成を示す（ａ）は正面図、（ｂ）は側面図である。
【図４】本発明の実施形態に係る地下埋設式融雪装置の基本構成を示す（ａ）は開閉蓋平面図、（ｂ）は中蓋平面図である。
【図５】本発明による側枠の変形例を示す縦断面図である。
【図６】本発明の第２の実施形態に係る地下埋設式融雪装置の構成例を示す（ａ）は正面図、（ｂ）は側面図である。
【図７】本発明による地下埋設式融雪装置の第３の実施形態を示す図である。
【図８】本発明による地下埋設式融雪装置の第３の実施形態を示す図である。
【図９】本発明に係る高圧水噴射手段を示す斜視図である。
【図１０】本発明に係る高圧水噴射手段を示す斜視図および断面図である。
【図１１】本発明による地下埋設式融雪装置の第４の実施形態を示す図である。
【図１２】本発明による地下埋設式融雪装置の第４の実施形態を示す図である。
【図１３】本発明に係る融雪槽の変形例を示す平面図である。
【図１４】本発明に係る融雪槽の変形例を示す側面図および正面図である。
【符号の説明】
１０    融雪槽
１１〜１４    側枠
１５    地下水汲上げポンプ
１６    棚板
１７    地下水汲上げ管
１８    散水手段
１９    配管
２０    断熱材
２１    天板
２２    開閉蓋
２３    雪投入口
２４    中蓋
２５    突起
２６    接合部
２７    金網
２８    循環用圧送ポンプ
３１    散水手段
３２    高圧水噴射手段
３３    地下水汲上げポンプ
３４    ガイドパイプ
Ｓ    雪
Ｗ    地下水
【図１】
2004339904.tif 000003
【図２】
2004339904.tif 000004
【図３】
2004339904.tif 000005
【図４】
2004339904.tif 000006
【図５】
2004339904.tif 000007
【図６】
2004339904.tif 000008
【図７】
2004339904.tif 000009
【図８】
2004339904.tif 000010
【図９】
2004339904.tif 000011
【図１０】
2004339904.tif 000012
【図１１】
2004339904.tif 000013
【図１２】
2004339904.tif 000014
【図１３】
2004339904.tif 000015
【図１４】
2004339904.tif 000016